(57)【特許請求の範囲】
【請求項１】
目地によって区画された多数の擬石状凹凸面が壁面に形成されているコンクリート擁壁のデザイン構造であって、
前記多数の擬石状凹凸面が、コンクリート地肌の汚損を許容する汚損許容地肌面と、コンクリート地肌の汚損を抑制する汚損抑制地肌面との組み合わせで形成されていることを特徴としたコンクリート擁壁のデザイン構造。
【請求項２】
目地によって区画された多数の擬石状凹凸面が壁面に形成されているコンクリート擁壁のデザイン構造であって、
前記多数の擬石状凹凸面が、コンクリート地肌の汚損を許容する汚損許容地肌面と、コンクリート地肌の汚損を抑制する汚損抑制地肌面と、発色着色面との組み合わせで形成されていることを特徴としたコンクリート擁壁のデザイン構造。
【請求項３】
目地によって区画された多数の擬石状凹凸面が壁面に形成されているコンクリート擁壁のデザイン構造であって、
前記多数の擬石状凹凸面が、コンクリート地肌の汚損を許容する汚損許容地肌面と、コンクリート地肌の汚損を抑制する汚損抑制地肌面と、塗装着色面の組み合わせで形成されていることを特徴としたコンクリート擁壁のデザイン構造。
【請求項４】
目地によって区画された多数の擬石状凹凸面が壁面に形成されているコンクリート擁壁のデザイン構造であって、
前記多数の擬石状凹凸面が、コンクリート地肌の汚損を許容する汚損許容地肌面と、コンクリート地肌の汚損を抑制する汚損抑制地肌面と、発色着色面と、塗装着色面の組み合わせで形成されていることを特徴としたコンクリート擁壁のデザイン構造。
【請求項５】
請求項１〜請求項４記載のコンクリート擁壁のデザイン構造において、目地がコンクリート地肌面であるコンクリート擁壁のデザイン構造。
【請求項６】
請求項１〜請求項４記載のコンクリート擁壁のデザイン構造において、目地が発色着色面であるコンクリート擁壁のデザイン構造。
【請求項７】
請求項１〜請求項４記載のコンクリート擁壁のデザイン構造において、目地が塗装着色面であるコンクリート擁壁のデザイン構造。
【発明の詳細な説明】
【０００１】
【発明の属する技術分野】
本発明は、コンクリート擁壁を構築するのに用いられる擁壁用ブロックや現場打ちによって構築されたコンクリート擁壁を対象としたデザイン構造に関する。
【０００２】
【従来の技術】
従来、目地によって区画された多数の擬石状凹凸面が壁面に形成されているコンクリート擁壁については、数多く見受けられるようになった。このコンクリート擁壁を対象とし、その壁面にデザインを施す場合、コンクリート擁壁の壁面を塗料によって着色塗装するのが一般的である。
【０００３】
【発明が解決しようとする課題】
しかしながら、コンクリートによる土木構築物、なかでもコンクリート擁壁については、その裏面が水分を含んだ土に接しているため、このコンクリート擁壁は、その裏面からの呼吸が困難になるばかりか、裏面から水分や湿気が壁体の内部に含浸、浸透してくる。
【０００４】
そして、この水分や湿気は、コンクリート擁壁の壁面から水蒸気となって外部に排出しようとするが、このとき、壁面が着色塗装されていると、その塗膜により遮られて水分や湿気の排出ができなくなる。これでは、壁面からのコンクリートの呼吸が阻害されることになるし、水分や湿気によって塗装が裏から押し上げられ、塗装面が浮き上がって塗装の剥がれを引き起こすという問題が生じる。
【０００５】
尚、コンクリート擁壁の壁面をコンクリート地肌のままにしておくと、時の経過と共に風化、老化、酸性雨等によって汚れ、黒ずみが生じたり、又、部分的に雨水の流れ跡が着くなど、外観上の見栄えが悪くなる。壁面を着色塗装することによって、この汚れが目立たなくなるが、壁面を全面的に着色塗装すると、上述したようにコンクリートの呼吸が阻害されたり、塗装の剥がれといった問題が生じる。
【０００６】
本発明は、上述のような従来の問題点を解決するためになされたもので、コンクリート擁壁の壁面にデザインを施すに当たって、壁面の全面又は一部をコンクリート地肌のままにしておくことによってコンクリートの呼吸を維持すると共に、汚れを利用してデザインを施すことができるようにする。又、壁面の一部を着色塗装した場合に、水や湿気を原因として生ずる塗装の剥がれを解消することができるようにしたコンクリート擁壁のデザイン構造を提供することを課題としている。
【０００７】
【課題を解決するための手段】
上記の課題を解決するために、本発明の請求項１記載のコンクリート擁壁のデザイン構造は、目地によって区画された多数の擬石状凹凸面が壁面に形成されているコンクリート擁壁のデザイン構造であって、前記多数の擬石状凹凸面が、コンクリート地肌の汚損を許容する汚損許容地肌面と、コンクリート地肌の汚損を抑制する汚損抑制地肌面との組み合わせで形成されている構成とした。
【０００８】
又、本発明の請求項２記載のコンクリート擁壁のデザイン構造は、目地によって区画された多数の擬石状凹凸面が壁面に形成されているコンクリート擁壁のデザイン構造であって、前記多数の擬石状凹凸面が、コンクリート地肌の汚損を許容する汚損許容地肌面と、コンクリート地肌の汚損を抑制する汚損抑制地肌面と、発色着色面との組み合わせで形成されている構成とした。
【０００９】
又、本発明の請求項３記載のコンクリート擁壁のデザイン構造は、目地によって区画された多数の擬石状凹凸面が壁面に形成されているコンクリート擁壁のデザイン構造であって、前記多数の擬石状凹凸面が、コンクリート地肌の汚損を許容する汚損許容地肌面と、コンクリート地肌の汚損を抑制する汚損抑制地肌面と、塗装着色面の組み合わせで形成されている構成とした。
【００１０】
又、本発明の請求項４記載のコンクリート擁壁のデザイン構造は、目地によって区画された多数の擬石状凹凸面が壁面に形成されているコンクリート擁壁のデザイン構造であって、前記多数の擬石状凹凸面が、コンクリート地肌の汚損を許容する汚損許容地肌面と、コンクリート地肌の汚損を抑制する汚損抑制地肌面と、発色着色面と、塗装着色面の組み合わせで形成されている構成とした。
【００１１】
尚、前記請求項１〜請求項４記載のコンクリート擁壁のデザイン構造において、目地がコンクリート地肌面（請求項５）である態様、目地が発色着色面（請求項６）である態様、目地が塗装着色面（請求項７）である態様がある。
【００１２】
本発明（請求項１）のデザイン構造は、多数の擬石状凹凸面が、汚損許容地肌面と汚損抑制地肌面によって形成されている点に特徴がある。この汚損許容地肌面と汚損抑制地肌面を設けることによって、ここからコンクリートの呼吸を維持することができるようにしながら、汚れを利用してデザインを施すことができる。即ち、汚損許容地肌面は汚れによってコンクリート地肌面が黒ずみ、他方の汚損抑制地肌面は汚れの抑制によってコンクリート地肌面の黒ずみが抑えられることから両者の間には明度に差が生じる。従って、その明度のコントラストを利用したデザインを表現することができる。
【００１３】
この場合、汚損許容地肌面は、コンクリート地肌の汚損を許容する面であって、コンクリート地肌をそのまま放置して汚してもよいし、油やグリースや廃油を塗布して積極的に汚してもよい。他方、汚損抑制地肌面は、コンクリート地肌の汚損を抑制する面であって、防カビ剤や防汚剤や撥水剤等を塗布して汚れの付着、発生を抑制する。
【００１４】
尚、汚損許容地肌面と汚損抑制地肌面に加えて、発色着色面（請求項２）、塗装着色面（請求項３）、発色着色面及び塗装着色面（請求項４）を組み合わせた場合には、それだけデザインパターンが増加する。又、目地をコンクリート地肌面（請求項５）又は発色着色面（請求項６）又は塗装着色面（請求項７）にすることによってデザインパターンが増加する。
【００１５】
ここでいう発色着色面の発色着色処理としては、代表的なものとしてコンクリート面に着色剤を塗布し、次に発色剤、最後に促進剤を塗布する技術がある（宇部化粧システム、宇部興産社製）。このほか、型枠に顔料とか骨材をのりで固定させ、コンクリート打設時に、のりが水とアルカリに溶け、いわゆる浸透含浸により着色された着色面を形成するものもある。具体的には、ＴＹＫグラテッス（浸透着色素材処理化化粧型枠）や顔料をシートに塗布し、これを型枠に止めてコンクリートを流し込む方法（エコシート、いわき工学社製）が知られている。従って、この発色着色はコンクリートへの着色技術であり、塗料による着色塗装とは異なり、コンクリートの呼吸及び水や湿気の排出の妨げになることはない。
【００１６】
又、塗装着色面は塗料を用いて形成されるもので、この着色塗装面を組み合わせた場合でも、汚損許容地肌面と汚損抑制地肌面によってコンクリートの呼吸が維持されるため、水や湿気を原因として生ずる塗装の剥がれを解消することができる。
【００１７】
【発明の実施の形態】
以下、本発明の実施の形態を図面により詳述する。図１は実施の第１形態であるＬ形擁壁用ブロックのデザイン構造を示す斜視図である。
【００１８】
このＬ形擁壁用ブロックＡ（コンクリート擁壁）は、底板部１０と前面板部１１とでＬ形に形成され、前面板部１１の正面が石垣状壁面１２に形成されている。そして、この石垣状壁面１２には、目地１３によって区画された多数（１０個）の擬石状凹凸面１４が形成されている。尚、図中１２ａは土被り部である。
【００１９】
そして、前記１０個の擬石状凹凸面１４がコンクリート地肌の汚損を許容する汚損許容地肌面１４ａ（図中点模様で示す）と、コンクリート地肌の汚損を抑制する汚損抑制地肌面１４ｂ（図中無模様で示す）との組み合わせで形成されている。この実施の形態では、擬石状凹凸面１４のうち、半分の５個が汚損許容地肌面１４ａに形成され、残りの５個が汚損抑制地肌面１４ｂに形成され、目地１３はコンクリート地肌面に形成されている。この場合、汚損許容地肌面１４ａはコンクリート地肌のままで放置することにより形成され、又、汚損抑制地肌面１４ｂはコンクリート地肌に防カビ剤を塗布することにより形成されている。又、目地１３のコンクリート地肌面は汚損抑制地肌面となっている。
【００２０】
従って、このＬ形擁壁用ブロックＡでは、汚損許容地肌面１４ａと汚損抑制地肌面１４ｂを設けたことによって、ここからコンクリートの呼吸を維持することができる。又、汚損許容地肌面１４ａは汚れによってコンクリート地肌面が黒ずみ、他方の汚損抑制地肌面１４ｂは汚れの抑制によってコンクリート地肌面の黒ずみが抑えられる。これによって両者の間には明度に差が生じ、その明度のコントラストを利用したデザインを石垣状壁面１２に表現することができる。時間の経過とともにコンクリート地肌は変化（汚れる）する。この変化をデザインとして積極的に取り入れることが本発明のねらいである。汚れることは罪悪ではなく、むしろ汚れから自然の芸術を創作することが環境創造の観点からみて重視しなければならないことである。
【００２１】
次に、図２は実施の第２形態であるＬ形擁壁用ブロックＢのデザイン構造を示す斜視図である。このＬ形擁壁用ブロックＢの石垣状壁面１２には、縦目地１３によって区画された多数（８個）の擬石状凹凸面１４が筋状に形成されている。
【００２２】
この場合、前記８個の擬石状凹凸面１４がコンクリート地肌の汚損を許容する汚損許容地肌面１４ａ（図中点模様で示す）と、コンクリート地肌の汚損を抑制する汚損抑制地肌面１４ｂ（図中無模様で示す）と、発色着色面１４ｃ（図中右上がり平行斜線で示す）の組み合わせで形成されている。この実施の形態では、擬石状凹凸面１４のうち、３個が汚損許容地肌面１４ａに形成され、３個が汚損抑制地肌面１４ｂに形成され、残りの２個が発色着色面１４ｃに形成され、目地１３はコンクリート地肌面に形成されている。この場合、汚損許容地肌面１４ａはコンクリート地肌に油を塗布することにより形成され、又、汚損抑制地肌面１４ｂはコンクリート地肌に防汚剤を塗布することにより形成されている。又、目地１３のコンクリート地肌面はそのまま放置した汚損許容地肌面となっている。防汚剤としては、商品名スリーロンジーＺ−５００（スリーボンドユニコム〓）を使用している。シラン化合物系のもので、防藻、防カビ剤はフェニルエーテル誘導体を用いている。
【００２３】
前記発色着色面１４ｃは、着色剤を擬石状凹凸面１４に塗布したのち、この上から発色剤を塗布し、次に促進剤を塗布することにより形成されている。尚、この発色着色はコンクリートへの着色技術であり、塗料による着色塗装とは異なり、コンクリートの呼吸及び水や湿気の排出の妨げになることはない。
【００２４】
従って、この実施の第２形態におけるＬ形擁壁用ブロックＢでは、汚損許容地肌面１４ａと汚損抑制地肌面１４ｂ、それに発色着色面１４ｃを設けたことによって、ここからコンクリートの呼吸を維持することができる。又、汚損許容地肌面１４ａの黒ずみと、汚損抑制地肌面１４ｂの白さと、発色着色面１４ｃの着色とによってデザインパターンが豊富になり、審美性を向上させることができる。
【００２５】
次に、図３は実施の第３形態である擁壁用積上ブロックのデザイン構造を示す斜視図である。この擁壁用積上ブロックＣは、前面板部１１と、この前面板部１１の裏面に設けられた支え板部１６とでＴ形に形成され、前面板部１１の正面が石垣状壁面１２に形成されている。そして、この石垣状壁面１２には、目地１３によって区画された多数（１０個）の擬石状凹凸面１４が形成されている。
【００２６】
この場合、前記１０個の擬石状凹凸面１４がコンクリート地肌の汚損を許容する汚損許容地肌面１４ａ（図中点模様で示す）と、コンクリート地肌の汚損を抑制する汚損抑制地肌面１４ｂ（図中無模様で示す）と、塗装着色面１４ｄ（図中右下がり平行斜線で示す）の組み合わせで形成されている。この実施の形態では、擬石状凹凸面１４のうち、３個が汚損許容地肌面１４ａに形成され、４個が汚損抑制地肌面１４ｂに形成され、残りの３個が塗装着色面１４ｄに形成され、目地１３は発色着色面に形成されている。この場合、汚損許容地肌面１４ａはコンクリート地肌にグリースを塗布することにより形成され、又、汚損抑制地肌面１４ｂはコンクリート地肌に防汚剤を塗布することにより形成されている。
【００２７】
前記塗装着色面１４ｄは、スプレー装置を用いた吹き付け塗装あるいは刷毛塗り塗装により行われる。又、この塗装着色面１４ｄに用いる塗料としては、例えば、骨材含有塗料、合成樹脂バインダ塗料、透湿性塗料、点接着塗料等を使用できるもので、特に制限はない。ただ、透湿性塗料を用いた場合には、塗装着色面１４ｄにおいてもコンクリートの呼吸の維持及び水や湿気の排出ができる。
【００２８】
従って、この実施の第３形態における擁壁用積上ブロックＣでは、汚損許容地肌面１４ａと汚損抑制地肌面１４ｂを設けたことによって、ここからコンクリートの呼吸を維持することができる。そして、塗料を用いて形成される着色塗装面１４ｄを組み合わせた場合でも、汚損許容地肌面１４ａと汚損抑制地肌面１４ｂによってコンクリートの呼吸が維持されるため、水や湿気を原因として生ずる塗装の剥がれを解消することができる。又、汚損許容地肌面１４ａの黒ずみと、汚損抑制地肌面１４ｂの白さと、塗装着色面１４ｄの着色とによってデザインパターンが豊富になり、審美性を向上させることができる。
【００２９】
次に、図４は実施の第４形態である擁壁用積上ブロックのデザイン構造を示す斜視図である。この擁壁用積上ブロックＤは、前面板部１１と、後面板部１８と、この前面板部１１と後面板部１８の間に設けられた連結板部１９，１９とでボックス形に形成され、前面板部１１の正面が石垣状壁面１２に形成されている。そして、この石垣状壁面１２には、縦目地１３によって区画された多数（８個）の擬石状凹凸面１４が筋状に形成されている。
【００３０】
この場合、前記８個の擬石状凹凸面１４がコンクリート地肌の汚損を許容する汚損許容地肌面１４ａ（図中点模様で示す）と、コンクリート地肌の汚損を抑制する汚損抑制地肌面１４ｂ（図中無模様で示す）と、発色着色面１４ｃ（図中右上がり平行斜線で示す）と、塗装着色面１４ｄ（図中右下がり平行斜線で示す）の組み合わせで形成されている。この実施の形態では、擬石状凹凸面１４のうち、２個が汚損許容地肌面１４ａに形成され、２個が汚損抑制地肌面１４ｂに形成され、２個が発色着色面１４ｃに形成され、残りの２個が塗装着色面１４ｄに形成され、目地１３は塗装着色面に形成されている。この場合、汚損許容地肌面１４ａはコンクリート地肌に廃油を塗布することにより形成され、又、汚損抑制地肌面１４ｂはコンクリート地肌に撥水剤を塗布することにより形成されている。この撥水剤のため長期にわたり汚れ防止となる。
【００３１】
以上、本発明の実施の形態を図面により説明したが、具体的な構成はこれに限定されるものではない。例えば、擁壁用ブロックとしては即時脱型により製造した擁壁用ブロックでもよいし、現場打ちにより構築したコンクリート擁壁等を対象にすることができる。
【００３２】
発色着色面のつくり方としてつぎのものも含む。擬石状凹凸面に対して、顔料を水溶液にしたものを刷毛にてしみ込ませる。つぎに表面を上塗り処理することもできる。上塗りは商品名クリアー８００（大日精化工業（株）社製）が適当である。
【００３３】
【発明の効果】
以上説明してきたように、本発明（請求項１）のデザイン構造にあっては、コンクリート擁壁の壁面にデザインを施すに当たって、擬石状凹凸面が、汚損許容地肌面と汚損抑制地肌面によって形成されているため、ここからコンクリートの呼吸を維持することができる。又、汚損許容地肌面は汚れによってコンクリート地肌面が黒ずみ、他方の汚損抑制地肌面は汚れの抑制によってコンクリート地肌面の黒ずみが抑えられることから両者の間に明度に差が生じ、その明度のコントラストを利用したデザインを表現できるという効果が得られる。
【００３４】
又、汚損許容地肌面と汚損抑制地肌面に加えて、発色着色面（請求項２）、塗装着色面（請求項３）、発色着色面及び塗装着色面（請求項４）を組み合わせた場合には、それだけデザインパターンが増加し、審美性を向上することができる。尚、着色塗装面を組み合わせた場合（請求項３又は請求項４）でも、汚損許容地肌面と汚損抑制地肌面によってコンクリートの呼吸が維持されるため、水や湿気を原因として生ずる塗装の剥がれを解消することができる。
【００３５】
又、目地をコンクリート地肌面（請求項５）又は発色着色面（請求項６）又は塗装着色面（請求項７）にすることによってデザインパターンを増加できるという効果が得られる。
【図面の簡単な説明】
【図１】実施の第１形態であるＬ形擁壁ブロックのデザイン構造を示す斜視図である。
【図２】実施の第２形態であるＬ形擁壁ブロックのデザイン構造を示す斜視図である。
【図３】実施の第３形態である擁壁用積上ブロックのデザイン構造を示す斜視図である。
【図４】実施の第４形態である擁壁用積上ブロックのデザイン構造を示す斜視図である。
【符号の説明】
Ａ  Ｌ形擁壁用ブロック
Ｂ  Ｌ形擁壁用ブロック
Ｃ  擁壁用積上ブロック
Ｄ  擁壁用積上ブロック
１２  石垣状壁面（壁面）
１３  目地
１４  擬石状凹凸面
１４ａ  汚損許容地肌面
１４ｂ  汚損抑制地肌面
１４ｃ  発色着色面
１４ｄ  塗装着色面
【図１】
0003616493.tif 000002
【図２】
0003616493.tif 000003
【図３】
0003616493.tif 000004
【図４】
0003616493.tif 000005